(57)【要約】【課題】一つの音量調節操作手段で音声レシーバやスピーカ等の複数の音量調節を兼ねる携帯端末において、使用者の誤操作があってもスピーカから過大な音量が発生することを制限することにより、使用者に不快感を与えることを防止できる携帯端末を提供する。【解決手段】制御部１２は、スピーカ７から音声を出力開始する場合に、筐体が開状態で且つ音声レシーバから音声出力中であれば、出力開始から所定時間の間は、音量登録記憶部１６のスピーカデフォルト音量値が所定音量より大きい場合は当該所定音量に制限して出力開始させる。また、当該所定時間内はボリュームキー９によるスピーカ７の音量調節を禁止またはレベル３を超える音量調節を禁止し、当該所定時間経過以降にボリュームキー９によるスピーカ７の無制限の音量調節を許可する。【選択図】図２
2008311997.tif 000002
【特許請求の範囲】
【請求項１】
第１の音声出力手段と、
第２の音声出力手段と、
前記第２の音声出力手段の第２のデフォルト音量を記憶する音量登録記憶手段と、
前記第２の音声出力手段の音量を調節する音量操作手段と、
前記第１の音声出力手段から音声を出力しているときに、前記第２の音声出力手段から音声を出力開始する場合に、出力開始から所定時間の間は、前記第２のデフォルト音量が所定音量より大きい場合は当該所定音量に制限して出力開始させ、当該所定時間中、前記音量操作手段による第２の音声出力手段の音量調節を禁止する制御手段と
を具備することを特徴とする携帯端末。
【請求項２】
第１の音声出力手段と、
第２の音声出力手段と、
前記第２の音声出力手段の第２のデフォルト音量を記憶する音量登録記憶手段と、
前記第２の音声出力手段の音量を調節する音量操作手段と、
前記第１の音声出力手段から音声を出力しているときに、前記第２の音声出力手段から音声を出力開始する場合に、出力開始から所定時間の間は、前記第２のデフォルト音量が所定音量より大きい場合は当該所定音量に制限して出力開始させ、当該所定時間中、前記音量操作手段による第２の音声出力手段の音量調節を所定の音量より大きい音量で出力させることを禁止する制御手段と
を具備することを特徴とする携帯端末。
【請求項３】
さらに、筐体の開閉を検出する開閉検出手段を設け、
前記制御手段は、
前記第１の音声出力手段から音声を出力しているときに、前記第２の音声出力手段から音声を出力開始する場合に、前記筐体が開状態の場合は、出力開始から所定時間の間は、前記第２のデフォルト音量が所定音量より大きい場合は当該所定音量に制限して出力開始させ、当該所定時間中、前記音量操作手段による第２の音声出力手段の音量調節を禁止することを特徴とする請求項１に記載の携帯端末。
【請求項４】
さらに、筐体の開閉を検出する開閉検出手段を設け、
前記制御手段は、
前記第１の音声出力手段から音声を出力しているときに、前記第２の音声出力手段から音声を出力開始する場合に、前記筐体が開状態の場合は、出力開始から所定時間の間は、前記第２のデフォルト音量が所定音量より大きい場合は当該所定音量に制限して出力開始させ、当該所定時間中、前記音量操作手段による第２の音声出力手段の音量調節を所定の音量より大きい音量で出力させることを禁止することを特徴とする請求項２に記載の携帯端末。
【請求項５】
前記第１の音声出力手段と第２の音声出力手段とは筐体の同じ面に配置されていることを特徴とする請求項１又は２に記載の携帯端末。
【請求項６】
前記第１のの音声出力手段は、使用者の耳の近傍で使用される音声レシーバであり、
前記第２の音声出力手段は、前記第１の音声出力手段より比較的大きい音量を出力するスピーカであることを特徴とする請求項１又は２に記載の携帯端末。
【発明の詳細な説明】
【技術分野】
【０００１】
本発明は、一つの音量調節操作手段で音声レシーバやスピーカ等の複数の音量調節を兼ねる携帯端末において、使用者の誤操作があってもスピーカから過大な音量が発生することを制限することにより、使用者に不快感を与えることを防止できる携帯端末に関する。
【背景技術】
【０００２】
一つのボリュームキー（音量調節操作手段）で音声レシーバ(受話、留守録再生など)やスピーカ（着信音、アラーム）等の複数の音声出力手段の音量調節を兼ねる携帯端末では、音量調節をしたときに動作中の携帯端末の動作状態で一義的に決まる一つの音声出力手段の音量が、音量調節操作に追従してリアルタイムで変化する。たとえば、受話中や留守録再生中に音量調節操作手段の操作を行うと音声レシーバの音量がリアルタイムで変化する。着信音やアラーム音鳴動中に音量調節操作手段の操作を行うとスピーカの音量がリアルタイムで変化する携帯端末が多い。
【０００３】
このような携帯端末は、例えば、使用者が、音声レシーバに耳をあてて受話音や留守録再生音を聞きながら、その音を大きくするつもりでボリュームキーで大きくする操作をしている最中に、スピーカから鳴動する着信音やアラーム音等が発生すると、前記操作により、スピーカから鳴動する音が大きくなってしまい、スピーカも耳の近くにあるため、驚いてしまう可能性がある。
【０００４】
このような問題に対応した電話機の音量調節装置がある（例えば、特許文献１参照。）。この特許文献１（要約欄および請求項１）の電話機では、第１の音量調節操作手段３０と第２の音量調節操作手段３３の二つの音量調節操作手段を有する。そして、コントロール部３７は受話器４で通話中に第１の音量調節操作手段３０で音量増減操作をすると、電子ボリューム部７の音量制御をし、受話スピーカ５での受話音量を増減させ、ハンズフリー通話モードで通話中に第１の音量調節操作手段３０で音量増減操作をすると、電子ボリューム部１３の音量制御をし、拡声スピーカ１１からの拡声音量を増減させる。すなわち、第１の音量調節操作手段により、調節頻度の高い音声に関係する複数の音量調節を行う。
【０００５】
また、着信が有り拡声スピーカ１１から呼び出し音が鳴っているときに第２の音量調節操作手段３３で音量増減操作をすると、電子ボリューム部１３の音量制御をし、拡声スピーカ１１からの呼び出し音量を増減させる。すなわち、第２の音量調節操作手段により、調節頻度の低い音声に関係しない音量調節を行う。
【特許文献１】特開２００３−１１５９００号公報（頁１〜２、図１）
【発明の開示】
【発明が解決しようとする課題】
【０００６】
特許文献１の電話機では、第１の音量調節操作手段が対応する調節頻度の高い音声に関係するものと、第２の音量調節操作手段が対応する調節頻度の低い音声に関係しないものに分けている。しかし、この分類は、例えば、音声の分類の受話音声といっても音楽が出力することもあるし、音声に関係しない呼び出し音といっても人の声の呼び出し音があるように、使用者にとって、使用中に瞬時にどちらの音量調節操作手段を選べばよいのか、簡単に判断できるような分類ではなく、とまどってしまうという問題がある。
【０００７】
本発明は、このような問題を解決し、一つの音量調節操作手段を有する携帯端末において、使用者の誤操作があっても着信音スピーカから過大な音量が発生することを制限することにより、使用者に不快感を与えることを防止できる携帯端末を提供することを目的とする。
【課題を解決するための手段】
【０００８】
上記目的を達成するために、本発明の携帯端末は、第１の音声出力手段と、第２の音声出力手段と、前記第２の音声出力手段の第２のデフォルト音量を記憶する音量登録記憶手段と、前記第２の音声出力手段の音量を調節する音量操作手段と、前記第１の音声出力手段から音声を出力しているときに、前記第２の音声出力手段から音声を出力開始する場合に、出力開始から所定時間の間は、前記第２のデフォルト音量が所定音量より大きい場合は当該所定音量に制限して出力開始させ、当該所定時間中、前記音量操作手段による第２の音声出力手段の音量調節を禁止する制御手段とを具備することを特徴とする。
【発明の効果】
【０００９】
本発明によれば、音量調節操作手段を有する携帯端末において、使用者の誤操作があっても着信音スピーカから過大な音量が発生することを制限することにより、使用者に不快感を与えることを防止できる携帯端末に関する。
【発明を実施するための最良の形態】
【００１０】
図１は、本発明の実施例に係る携帯端末の外観図であり、筐体が開かれた状態を示す。携帯端末１００は、折り畳み式の構造であり、上筐体２１と下筐体２２がヒンジ２３により回動自在に係合している。
【００１１】
上筐体２１には、開閉検出部１０ａ、音声レシーバ６、表示部１１、スピーカ７などが同じ面に配置される。下筐体２２には、複数の操作キー８、その一部であるボリュームキー９、マイクロホン５、開閉検出部１０ｂなどが配置される。ボリュームキー９は、通常は多機能キーであるが、その一つの機能としてとしてボリューム操作用に使用される。ボリュームキー９は、上向きの矢印部が押されると音声レシーバ６やスピーカ７の音量をリアルタイムで増加させ、下向きの矢印部が押されると音声レシーバ６やスピーカ７の音量をリアルタイムで減少させる動作となる。
【００１２】
なお、閉じられた状態においてもボリューム操作を行うために、図示しないサイドキーを筐体の側面に設けてもよい。例えばサイドキーを少なくとも２つ設けて、音量を増加させる第１のサイドキーと音量を減少させる第２のサイドキーとを設けるようにしてもよい。
【００１３】
開閉検出部１０ａと開閉検出部１０ｂは、筐体が閉じられた状態では近接することにより、筐体の開閉検出を行うセンサである。
【００１４】
筐体の開状態において、使用者が耳を音声レシーバ６に押し当てて受話音などを聞く。スピーカ７は、使用者が携帯端末１００から離れた場所にいても報知できるように、音声レシーバ６に比べて大きな音量で着信音などを出力する。
【００１５】
図２は、本発明の実施例に係る携帯端末のブロック図である。携帯端末１００は、アンテナ１、通信部２、送受信部３、通話部４、マイクロホン５、音声レシーバ６、スピーカ７、操作キー８、ボリュームキー９、開閉検出部１０、表示部１１、制御部１２などにより構成される。制御部１２は、さらに、アプリケーション部１３、スピーカ・レシーバ起動部１４、ボリューム制御部１５、音量登録記憶部１６などを有する。
【００１６】
アンテナ１は、基地局（図示せず）との間で電波の送受信を行う。通信部２は、アンテナ１が受信した高周波信号を送受信部３へ送信し、また、送受信部３から送信される高周波信号をアンテナ１より送信する。
【００１７】
送受信部３は、通信部２からの高周波信号を増幅、周波数変換及び復調し、それによって得られたディジタル音声信号を通話部４へ、また、制御信号を制御部１０に送る。更には、通話部４から送信されるディジタル音声信号、及び制御部１０から送信される制御信号を変調、周波数変換及び増幅し、高周波信号を得て、それを通信部２に送る。
【００１８】
通話部４は、送受信部３から送信されるディジタル音声信号をアナログ音声信号に変換し、それを増幅して音声レシーバ６に送る。また、着信音信号などを増幅してスピーカ７に送る。また、制御部１２の指示に基づいて、音声レシーバ６およびスピーカ７の音量出力レベルを設定する。また、マイクロホン５から送信されるアナログ音声信号を増幅し、それをディジタル音声信号に変換して送受信部３に送信する。
【００１９】
マイクロホン５は、送話などの音声入力用である。音声レシーバ６は、通常の通話モードでの受話音の出力および、留守録再生、通話中録音の再生用であり、使用者が耳を押し当てて聞くものである。スピーカ７は、着信音やアラーム音の出力用であり、音声レシーバ６に比べて大きな音量で報知出力する。
【００２０】
操作キー８は、各種キー操作用の入力手段である。その中の一つであるボリュームキー９は、音声レシーバ６およびスピーカ７の音量をリアルタイムで調節する。開閉検出部１０は、筐体の開閉検出用のセンサである。表示部１１は、各種表示出力用であり、ＬＣＤなどで構成される。
【００２１】
制御部１２は、図示しないＣＰＵ、ＲＯＭ、ＲＡＭなどを有して、携帯端末１００の主要な機能を実行する。制御部１２は、特に本発明に関して、ボリュームキー９のチェックと、音声レシーバ６やスピーカ７の音量調節制御を行う。制御部１２の音量登録記憶部１６は、音声レシーバ６およびスピーカ７のそれぞれの出力音声の音量を、使用者設定などにより予めデフォルト値として記憶するメモリである。
【００２２】
制御部１２の各部の詳細動作について次に説明する。  
図３は、本発明の実施例に係る携帯端末のスピーカ・レシーバ起動部の動作フローチャートである。スピーカ・レシーバ起動部１４は、アプリケーション部１３により、各アプリケーション実行時に、音声出力が必要な場合に、起動される。
【００２３】
スピーカ・レシーバ起動部１４は、起動されると、起動要因をチェックする（ステップＳ１）。起動要因として、スピーカ７を必要とするアプリケーション、例えば、着信報知や、アラーム報知（スケジュール、目覚まし、低電圧報知（一定電圧以下になった場合の報知））等であるか、または、音声レシーバ６を必要とするアプリケーション、例えば、通常通話、留守録再生、通話中録音の再生等であるかをチェックする。
【００２４】
スピーカ７を必要とするアプリケーションであれば、スピーカ起動に入る（ステップＳ２）。そして、筐体の開閉状態をチェックする（ステップＳ３）。
【００２５】
（スピーカ起動で、筐体開いた状態の場合）
ステップＳ２で、スピーカ起動ではあるが筐体が開状態の場合、開いた上筐体２１の音声レシーバ６に使用者が耳を押し当てて聞いている可能性があり、その状態で使用者による間違ったボリュームキー操作が行われると、上筐体２１の音声レシーバ６と同じ面の近傍に配置されているスピーカ７が大きい音量で鳴動してしまい、使用者自身が驚いてしまう。
【００２６】
それを防ぐために、以下の処理を行う。まず、音声レシーバが鳴動中かどうかをチェックする（ステップＳ４）。これが鳴動中であれば、予め登録されている音量登録記憶部１６の中のスピーカの音量登録値が、レベル０（無音）〜レベル６（最大音量）のいずれであるかをチェックする（ステップＳ５）。レベル３以下であれば、比較的小音量なので、もし、使用者の顔の近傍に携帯端末１００があっても使用者が驚くことはないので、登録されているレベル３以下の登録値をスピーカ出力レベルとして通話部４に指示する（ステップＳ６）。これにより、スピーカ７がレベル３以下の登録値の出力レベルで能動状態になり、鳴動開始する。
【００２７】
ステップＳ５で、音量登録記憶部１６の中のスピーカの音量登録値がレベル４以上であれば、比較的大音量なので、そのままいきなり鳴動すると使用者が驚くので、レベル３に上限を限定してスピーカ出力レベルとして通話部４に指示する（ステップＳ７）。これにより、スピーカ７がレベル３の出力レベルで能動状態になり、鳴動開始する。
【００２８】
次に、ｎ秒タイマにｎ秒を設定する（ステップＳ８）。そして、ボリューム制御部１５によるリアルタイムの音量増減動作（図４で後述）を許可する（ステップＳ９）。
【００２９】
なお、ステップＳ９において、リアルタイムの音量増減動作は後述の図４で示されるように一部の動作を許可し、一部の動作を禁止することとしているが、これに限定されず、一律音量増減動作を禁止するように制御しても良い。その場合はステップＳ９における音量調節は一切行われない。
【００３０】
次に、ｎ秒タイマのデクリメント（ステップＳ１０）とｎ秒タイマのチェック（ステップＳ１１）を繰り返す。ノット・イコール・ゼロは、ｎ秒カウント中を意味する。イコール・ゼロは、ｎ秒経過を意味し、終了する（ステップＳ１２）。
【００３１】
このｎ秒間は、後述（図４）するように、ボリューム制御部１５は、ボリュームキー操作があった場合、レベル３を最大リミットとして制限をかけてスピーカ出力を増減する。ｎ秒経過後は、無制限にスピーカ出力を増減する。
【００３２】
すなわち、スピーカ起動要因が発生した直後のｎ秒間のスピーカ鳴動は、スピーカの音量登録値に関わらず、出力レベル３を上限として抑えられるとともに、ボリューム制御部１５によるリアルタイムの音量増減動作は、レベル３を超えるスピーカ出力が禁止され、ｎ秒経過以降にボリューム制御部１５によるリアルタイムの音量増減動作が無制限で可能な状態になる。
【００３３】
これにより、開いた上筐体２１の音声レシーバ６に使用者が耳を押し当てて聞いていたとき、使用者による間違ったボリュームキー操作が行われても、音声レシーバ６と同じ面の近傍に配置されているスピーカ７が大きい音量で鳴動することを防止でき、使用者が驚いてしまうことはない。
【００３４】
（スピーカ起動で、筐体開いているがレシーバ鳴動中でない場合、および筐体閉じた状態の場合）
ステップＳ３で、スピーカ起動ではあるが筐体が閉状態の場合、上筐体２１の音声レシーバ６に使用者が耳を押し当てることはないと考えられる。また、ステップＳ４でレシーバ鳴動中でない場合には、使用者がレシーバの音量調節とスピーカの音量調節を間違える可能性は低いと考えられる。
【００３５】
その場合は、スピーカ起動がかかると、予め登録されている音量登録記憶部１６の中のスピーカの音量登録値をそのままスピーカ出力レベルとして通話部４に指示する（ステップＳ２１）。これにより、スピーカ７が登録値の出力レベルで能動状態になり、鳴動開始する。
【００３６】
次に、ｎ秒タイマに零を設定する（ステップＳ２２）。そして、ボリューム制御部１５によるリアルタイムの音量増減動作（図４で後述）を許可する（ステップＳ２３）。これにより、後述（図４）するように、ボリューム制御部１５は、ボリュームキー操作があった場合、無制限にスピーカ出力を増減する。そして、終了する（ステップＳ１２）。それ以降も、ボリューム制御部１５によるリアルタイムの無制限の音量増減動作が可能な状態となる。
【００３７】
（レシーバ起動の場合）
ステップＳ１で、起動要因が音声レシーバ６を必要とするアプリケーションの場合は、レシーバ起動に入る（ステップＳ３０）。音声レシーバ６は、元来、耳を押し当てて聞く用途であるため、設計上、最大音量でも使用者が驚くということはない。
【００３８】
したがって、予め登録されている音量登録記憶部１６の中のレシーバの音量登録値をそのままレシーバ出力レベルとして通話部４に指示する（ステップＳ３１）。そして、ボリューム制御部１５によるリアルタイムの音量増減動作を許可する（ステップＳ３２）。これにより、音声レシーバ６が登録値の出力レベルで能動状態になり、報知開始する。そして、終了する（ステップＳ１２）。それ以降も、ボリューム制御部１５によるリアルタイムの音量増減動作が可能な状態となる。
【００３９】
図４は、本発明の実施例に係る携帯端末のボリューム制御部の動作フローチャートである。ボリューム制御部１５は、スピーカ・レシーバ起動部１４により、前記（図３）したように、起動される。スピーカ起動で筐体が開いた状態の場合の起動直後のｎ秒間は、ｎ秒タイマがｎ秒カウントを実行中である。
【００４０】
ボリューム制御部１５は、まず、操作の有無をチェックする（ステップＳ４１）。キー操作があれば、その時点で実行中の音声モードを確認する（ステップＳ４２）。スピーカ出力中であれば、ボリュームキーは、スピーカ出力をリアルタイムに増減するためのスピーカ対応に入る（ステップＳ４３）。また、ステップＳ４２の時点で実行中の音声モードがスピーカ出力中と音声レシーバ出力中の両方である場合は、ボリュームキーは、スピーカ出力を優先させて、スピーカ出力をリアルタイムに増減するためのスピーカ対応に入る（ステップＳ４３）。
【００４１】
スピーカ対応では、まず、ｎ秒タイマをチェックする(ステップＳ４４)。ノット・イコール・ゼロは、ｎ秒カウント中を意味し、このｎ秒間は、音声登録記憶部１６のスピーカ登録値をベースにして、ボリュームキー操作の増減操作に合わせて、スピーカ出力レベルを増減して通話部４に指示する。ただし、レベル３を最大リミットとして制限をかけてスピーカ出力を増減する。（ステップＳ４５）。これにより、スピーカ７の出力レベルは、ボリュームキー操作にリアルタイムに対応してレベル３を最大リミットとして増減して鳴動する。
【００４２】
そして、ここで指示したスピーカ出力レベルを音声登録記憶部１６のスピーカ登録値として再登録する（ステップＳ４６）。以降の処理では、この再登録値がベースになる。そして、ステップＳ４１に戻り、以上の処理をループする。
【００４３】
ステップＳ４４で、ｎ秒タイマがイコール・ゼロの場合、ｎ秒経過以降を意味する。この場合は、音声登録記憶部１６のスピーカ登録値をベースにして、ボリュームキー操作の増減操作に合わせて、スピーカ出力レベルを無制限に増減して通話部４に指示する。無制限と言っても、ハード上の上限であるレベル６が上限となる（ステップＳ４７）。
【００４４】
そして、ここで指示したスピーカ出力レベルを音声登録記憶部１６のスピーカ登録値として再登録する（ステップＳ４８）。以降の処理では、この再登録値がベースになる。そして、ステップＳ４１に戻り、以上の処理をループする。
【００４５】
ステップＳ４２で、キー操作があった時点での実行中の音声モードがレシーバ出力中であれば、ボリュームキーは、レシーバ出力をリアルタイムに増減するためのレシーバ対応に入る（ステップＳ５０）。
【００４６】
レシーバ対応では、音声登録記憶部１６のレシーバ登録値をベースにして、ボリュームキー操作の増減操作に合わせて、レシーバ出力レベルを増減して通話部４に指示する（ステップＳ５１）。これにより、音声レシーバ６の出力レベルがボリュームキー操作にリアルタイムに対応して増減して出力する。
【００４７】
そして、ここで指示したレシーバ出力レベルを音声登録記憶部１６のレシーバ登録値として再登録する（ステップＳ５２）。以降の処理では、この再登録値がベースになる。そして、ステップＳ４１に戻り、以上の処理をループする。
【００４８】
以上説明したように、本発明の実施例によれば、一つの音量調節操作手段のみを有する携帯端末において、使用者の誤操作があっても着信音スピーカから過大な音量が発生することを制限することにより、使用者に不快感を与えることを防止可能となる。
【００４９】
なお、図４において、ｎ秒タイマがノット・イコール・ゼロ、すなわち、ｎ秒カウント中は、ボリュームキー操作時、レベル３を上限とするボリューム制御を行ったが（ステップＳ４５、Ｓ４６）、このステップＳ４５、Ｓ４６をパスすることにより、ボリューム制御を行わないようにしてもよい。それにより、ｎ秒カウント中は、ボリュームキー操作によるボリューム制御が禁止された状態となり、同様に、使用者の誤操作があっても着信音スピーカから過大な音量が発生することを制限することになり、使用者に不快感を与えることを防止可能となる。
【００５０】
また、携帯端末の構造として、図１の構造の開閉式ではなく、バータイプやスライドタイプの構造のものがある。その場合、音声レシーバが常に表面にあるため、使用者が耳を押し当てて聞いている可能性があり、その状態で使用者による間違ったボリュームキー操作が行われると、使用者が驚いてしまう。したがって、図３において、スピーカ起動の場合に筐体の開閉状態によって制御を変えていたが、筐体の開閉状態のチェック（ステップＳ３）をパスして、常時、ステップＳ４〜Ｓ１１の処理を行うようにしてもよい。
【００５１】
また、図３において、スピーカ起動がかかった時にレシーバ鳴動中かのチェック（ステップＳ４）を行ったが、この処理をパスして、常時、ステップＳ５〜Ｓ１１の処理を行うようにしてもよい。
【００５２】
また、ボリューム操作のキーとして、ボリュームキー９を対象としたが、図示しないサイドキーでボリューム操作ができる装置の場合は、このサイドキーを対象としてもよい。
【００５３】
また、音声レシーバ６とスピーカ７とは上筐体２１の同じ面に配置されているが、スピーカ７が上筐体２１の裏面に配置されている場合であってもよい。その場合も、使用者が音声レシーバ６に耳を押し当てて聞いている状態では、裏面のスピーカ７の音量が使用者の耳に比較的大きく届くので、より本発明の効果が生じる。
【図面の簡単な説明】
【００５４】
【図１】本発明の実施例に係る携帯端末の外観図。
【図２】本発明の実施例に係る携帯端末のブロック図。
【図３】本発明の実施例に係る携帯端末のスピーカ・レシーバ起動部の動作フローチャート。
【図４】本発明の実施例に係る携帯端末のボリューム制御部の動作フローチャート。
【符号の説明】
【００５５】
１  アンテナ
２  通信部
３  送受信部
４  通話部
５  マイクロホン
６  音声レシーバ
７  スピーカ
８  操作キー
９  ボリュームキー
１０、１０ａ、１０ｂ  開閉検出部
１１  表示部
１２  制御部
１３  アプリケーション部
１４  スピーカ・レシーバ起動部
１５  ボリューム制御部
１６  音量登録記憶部
２１  上筐体
２２  下筐体
２３  ヒンジ
１００  携帯端末
【図１】
2008311997.tif 000003
【図２】
2008311997.tif 000004
【図３】
2008311997.tif 000005
【図４】
2008311997.tif 000006